【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
シングルキャリア方式で少なくとも上り制御チャネルを基地局装置に送信するユーザ装置であって、
下りデータチャネルに対する肯定応答又は否定応答を示す送達確認情報を用意する判定部と、
下りチャネル状態を示すチャネル状態情報を用意する推定部と、
前記送達確認情報及び前記チャネル状態情報の少なくとも一方を含む上り制御チャネルを作成する制御チャネル生成部と、
上りデータチャネルの送信用にリソースが割り当てられていない場合に、前記上り制御チャネルを所定の専用帯域で送信する送信部と、
を有し、
前記上り制御チャネルは、当該ユーザ装置用の直交符号系列の全チップに同じ因子が乗算された系列を含む単位ブロックを１つ以上含む
ことを特徴とするユーザ装置。
【請求項２】
前記直交符号系列が、カザック符号系列である
ことを特徴とする請求項１記載のユーザ装置。
【請求項３】
前記因子はプラス１又はマイナス１である
ことを特徴とする請求項１記載のユーザ装置。
【請求項４】
前記送達確認情報の示す内容は、１以上の単位ブロック各々に乗算されている一組の因子により表現される
ことを特徴とする請求項１記載のユーザ装置。
【請求項５】
一部の単位ブロック複数個の各々に乗算されている因子が送達確認情報を表し、
別の一部の単位ブロック複数個の各々に乗算されている因子がチャネル状態情報を表す
ことを特徴とする請求項４記載のユーザ装置。
【請求項６】
前記チャネル状態情報を表現する各ビットが、複数の単位ブロック各々に乗算されている一組の因子により表現される
ことを特徴とする請求項１記載のユーザ装置。
【請求項７】
上位のビットに対応する単位ブロックの数は、下位のビットに対応する単位ブロックの数以上である
ことを特徴とする請求項６記載のユーザ装置。
【請求項８】
上り制御チャネルに対するリソースの割当情報から、前記直交符号系列が導出されるように、割当情報及び直交符号系列間に所定の対応関係が設定されている
ことを特徴とする請求項１記載のユーザ装置。
【請求項９】
前記対応関係は、前記専用帯域中の第１帯域および前記専用帯域中の第２帯域のそれぞれに、符号分割多重方式によって割当可能なユーザ多重数を定めるように設定される
ことを特徴とする請求項８記載のユーザ装置。
【請求項１０】
シングルキャリア方式で少なくとも上り制御チャネルを基地局装置に送信するユーザ装置で使用される送信方法であって、
下りデータチャネルに対する肯定応答又は否定応答を示す送達確認情報及び下りチャネル状態を示すチャネル状態情報の少なくとも一方の情報を含む上り制御チャネルを作成するステップと、
上りデータチャネルの送信用にリソースが割り当てられていない場合に、前記上り制御チャネルを所定の専用帯域で送信するステップと、
を有し、前記上り制御チャネルは、当該ユーザ装置用の直交符号系列の全チップに同じ因子が乗算された系列を含む単位ブロックを１つ以上含む
ことを特徴とする送信方法。
【請求項１１】
前記直交符号系列が、カザック符号系列である
ことを特徴とする請求項１０記載の送信方法。
【請求項１２】
前記因子はプラス１又はマイナス１である
ことを特徴とする請求項１０記載の送信方法。
【請求項１３】
前記送達確認情報の示す内容は、１以上の単位ブロック各々に乗算されている一組の因子により表現される
ことを特徴とする請求項１０記載の送信方法。
【請求項１４】
一部の単位ブロック複数個の各々に乗算されている因子が送達確認情報を表し、
別の一部の単位ブロック複数個の各々に乗算されている因子がチャネル状態情報を表す
ことを特徴とする請求項１３記載の送信方法。
【請求項１５】
前記チャネル状態情報を表現する各ビットが、複数の単位ブロック各々に乗算されている一組の因子により表現される
ことを特徴とする請求項１０記載の送信方法。
【請求項１６】
上位のビットに対応する単位ブロックの数は、下位のビットに対応する単位ブロックの数以上である
ことを特徴とする請求項１５記載の送信方法。
【請求項１７】
上り制御チャネルに対するリソースの割当情報から、前記直交符号系列が導出されるように、割当情報及び直交符号系列間に所定の対応関係が設定されている
ことを特徴とする請求項１０記載の送信方法。
【請求項１８】
前記対応関係は、前記専用帯域中の第１帯域および前記専用帯域中の第２帯域のそれぞれに、符号分割多重方式によって割当可能なユーザ多重数を定めるように設定される
ことを特徴とする請求項１７記載の送信方法。
【請求項１９】
下りデータチャネルを送信する基地局装置と、
シングルキャリア方式で少なくとも上り制御チャネルを基地局装置に送信するユーザ装置とを備え、
前記ユーザ装置は、
下りデータチャネルに対する肯定応答又は否定応答を示す送達確認情報を用意する判定部と、
下りチャネル状態を示すチャネル状態情報を用意する推定部と、
前記送達確認情報及び前記チャネル状態情報の少なくとも一方を含む上り制御チャネルを作成する制御チャネル生成部と、
上りデータチャネルの送信用にリソースが割り当てられていない場合に、前記上り制御チャネルを所定の専用帯域で送信する送信部と、
を有し、前記上り制御チャネルは、当該ユーザ装置用の直交符号系列の全チップに同じ因子が乗算された系列を含む単位ブロックを１つ以上含む
ことを特徴とする通信システム。
【手続補正２】
【補正対象書類名】明細書
【補正対象項目名】発明の名称
【補正方法】変更
【補正の内容】
【発明の名称】ユーザ装置、送信方法及び通信システム
【手続補正３】
【補正対象書類名】明細書
【補正対象項目名】０００９
【補正方法】変更
【補正の内容】
【０００９】
本ユーザ装置は、シングルキャリア方式で少なくとも上り制御チャネルを基地局装置に送信するユーザ装置で使用される。ユーザ装置は、下りデータチャネルに対する肯定応答又は否定応答を示す送達確認情報を用意する判定部と、下りチャネル状態を示すチャネル状態情報を用意する推定部と、前記送達確認情報及び前記チャネル状態情報の少なくとも一方を含む上り制御チャネルを作成する制御チャネル生成部と、上りデータチャネルの送信用にリソースが割り当てられていない場合に、前記上り制御チャネルを所定の専用帯域で送信する送信部とを有する。前記上り制御チャネルは、当該ユーザ装置用の直交符号系列の全チップに同じ因子が乗算された系列を含む単位ブロックを１つ以上含む。
本送信方法は、
シングルキャリア方式で少なくとも上り制御チャネルを基地局装置に送信するユーザ装置で使用される送信方法であって、
下りデータチャネルに対する肯定応答又は否定応答を示す送達確認情報及び下りチャネル状態を示すチャネル状態情報の少なくとも一方の情報を含む上り制御チャネルを作成するステップと、
上りデータチャネルの送信用にリソースが割り当てられていない場合に、前記上り制御チャネルを所定の専用帯域で送信するステップと、
を有し、前記上り制御チャネルは、当該ユーザ装置用の直交符号系列の全チップに同じ因子が乗算された系列を含む単位ブロックを１つ以上含む。
本通信システムは、
下りデータチャネルを送信する基地局装置と、
シングルキャリア方式で少なくとも上り制御チャネルを基地局装置に送信するユーザ装置とを備え、
前記ユーザ装置は、
下りデータチャネルに対する肯定応答又は否定応答を示す送達確認情報を用意する判定部と、
下りチャネル状態を示すチャネル状態情報を用意する推定部と、
前記送達確認情報及び前記チャネル状態情報の少なくとも一方を含む上り制御チャネルを作成する制御チャネル生成部と、
上りデータチャネルの送信用にリソースが割り当てられていない場合に、前記上り制御チャネルを所定の専用帯域で送信する送信部と、
を有し、前記上り制御チャネルは、当該ユーザ装置用の直交符号系列の全チップに同じ因子が乗算された系列を含む単位ブロックを１つ以上含む。